(57)【要約】【課題】押圧部材にスライド可能に設けられた係止部材の係合先部が、押圧部材に設けられた係合部に係合することで、リフィールの前端の筆記部が軸筒の前端開口から突出した状態が維持される筆記具において、リフィールの交換時における組み立て性を向上した筆記具を提供する。【解決手段】後軸１３の内部には、弾性部材であるバネ４０が設けられ、バネ４０の内部にリフィール２０が挿入されるようになっている。バネ４０の一端は、軸部６２に嵌合することにより、バネ４０と押圧部材３０とが連結されている。バネ４０の他端は、軸筒１０の後軸１３の内周面に形成された段差部１７に当接している。【選択図】図１
2014226847.tif 000002
【特許請求の範囲】
【請求項１】
前端及び後端のそれぞれに前端開口及び後端開口を有する軸筒と、
該軸筒内に収納されるリフィールと、
前記後端開口から該軸筒内に挿入されて前記リフィールと直接または間接的に連結された押圧部材であって、該押圧部材が前記軸筒の前端に向かって押圧されると、前記リフィールを前記軸筒の前端に向かって押圧して、前記リフィールの前端の筆記部を前記前端開口から突出させる押圧部材と、
該押圧部材に設けられた係合部と、
前記押圧部材にスライド可能に設けられ、前記係合部と係合する係合先部を有する係止部材と
を備え、前記係合先部が前記係合部に係合することにより、前記筆記部が前記前端開口から突出した状態が維持される筆記具において、
一端が前記押圧部材を前記前記軸筒の後端に向かって押圧する弾性部材が前記軸筒内に設けられていることを特徴とする筆記具。
【請求項２】
前記軸筒の内周面に段差部が設けられ、前記弾性部材のもう一方の他端が前記段差部に固定される、請求項１に記載の筆記具。
【請求項３】
前記段差部は、前記軸筒の長手方向に延びると共に前記軸筒の内周面に複数形成されたリブのそれぞれに接するように仮想的に描かれた内接円の内径が変化するように前記リブの高さが変化することにより形成される、請求項２に記載の筆記具。
【請求項４】
前記押圧部材は、前記弾性部材の前記一端と当接している側の端部に設けられた挿入突部を有し、
前記リフィールは、該リフィールの後端に設けられた孔を有し、
前記挿入突部が前記孔に挿入することにより、前記押圧部材と前記リフィールとは直接連結される、請求項１〜３のいずれか一項に記載の筆記具。
【請求項５】
前記軸筒は、
前記前端開口を有する前軸と、
前記後端開口を有する後軸と
が取り外し可能に連結して構成される、請求項１〜４のいずれか一項に記載の筆記具。
【発明の詳細な説明】
【技術分野】
【０００１】
この発明は、筆記具に係り、特に、リフィールの前端の筆記部を軸筒の前端開口から出没させるようにした出没式筆記具に関する。
【背景技術】
【０００２】
従来の出没式筆記具には、軸筒内に収納されたリフィールの前端の筆記部を軸筒の前端開口から出没させるためのノック機構が設けられている。このようなノック機構の構成が例えば、特許文献１に記載されている。このノック機構は、軸筒の後端から一部が突出するようにして軸筒に挿入された押圧部材と、軸筒の内部でリフィールと押圧部材との間に設けられたスペーサとを有し、軸筒の後端から突出した押圧部材の後端部が押圧されると、スペーサを介してリフィールが押圧され、リフィールの筆記部が軸筒の前端開口から突出する。押圧部材にスライド可能に設けられた係止部材の係合先部が、押圧部材に設けられた係合部に係合することで、リフィールの筆記部が軸筒の前端から突出した状態が維持される。係止部材の係合先部が係合部から外されると、軸筒内の前端付近に設けられたバネの作用で、リフィールの筆記部が軸筒内に戻される。
【先行技術文献】
【特許文献】
【０００３】
【特許文献１】実開平５−６６７３８号公報（図３）
【発明の概要】
【発明が解決しようとする課題】
【０００４】
近年、ユーザーの好みに応じて、リフィールを自由に交換可能な出没式筆記具が開発されている。これにより、ボールペンの色を自由に交換できるようになり、また、ボールペンとシャープペンシルとの交換も自由に行えるようになる。特許文献１に記載のノック機構を採用した出没式筆記具においてリフィールを交換する際、軸筒からリフィールを取り外すと、軸筒内の前端付近に設けられたバネも軸筒から取り外されてしまう場合がある。この場合、別のリフィールを軸筒に挿入するにあたり、バネを軸筒内に入れた後、リフィールを軸筒内に入れる手順を踏むことになるので、組み立て性が悪いといった問題点があった。また、バネが軸筒から取り外されると、バネを紛失してしまうおそれもある。
【０００５】
この発明はこのような問題点を解決するためになされたもので、押圧部材にスライド可能に設けられた係止部材の係合先部が、押圧部材に設けられた係合部に係合することで、リフィールの前端の筆記部が軸筒の前端開口から突出した状態が維持される筆記具において、リフィールの交換時における組み立て性を向上した筆記具を提供することを目的とする。
【課題を解決するための手段】
【０００６】
この発明に係る筆記具は、前端及び後端のそれぞれに前端開口及び後端開口を有する軸筒と、軸筒内に収納されるリフィールと、後端開口から軸筒内に挿入されてリフィールと直接または間接的に連結された押圧部材であって、押圧部材が軸筒の前端に向かって押圧されると、リフィールを軸筒の前端に向かって押圧して、リフィールの前端の筆記部を前端開口から突出させる押圧部材と、押圧部材に設けられた係合部と、押圧部材にスライド可能に設けられ、係合部と係合する係合先部を有する係止部材とを備え、係合先部が係合部に係合することにより、筆記部が前端開口から突出した状態が維持される筆記具において、一端が押圧部材を前記軸筒の後端に向かって押圧する弾性部材が軸筒内に設けられていることを特徴とする。
軸筒の内周面に段差部が設けられ、弾性部材のもう一方の他端が段差部に固定されてもよい。
段差部は、軸筒の長手方向に延びると共に軸筒の内周面に複数形成されたリブのそれぞれに接するように仮想的に描かれた内接円の内径が変化するようにリブの高さが変化することにより形成されてもよい。
軸筒は、前端開口を有する前軸と、後端開口を有する後軸とが取り外し可能に連結して構成されてもよい。
【発明の効果】
【０００７】
この発明によれば、押圧部材にスライド可能に設けられた係止部材の係合先部が、押圧部材に設けられた係合部に係合することで、リフィールの前端の筆記部が軸筒の前端開口から突出した状態が維持される筆記具において、一端が押圧部材に連結して押圧部材を軸筒の後端に向かって押圧する弾性部材が軸筒内に設けられていることにより、弾性部材を軸筒内に配置したままリフィールのみを交換することができるので、リフィールの交換時における組み立て性を向上することができる。
【図面の簡単な説明】
【０００８】
【図１】この発明の実施の形態に係る筆記具であって、シャープペンシルのリフィールを軸筒内に収納し、リフィールの筆記部が軸筒内に存在する状態の断面図である。
【図２】この発明の実施の形態に係る筆記具であって、シャープペンシルのリフィールを軸筒内に収納し、リフィールの筆記部が軸筒の前端開口から突出した状態の断面図である。
【図３】この発明の実施の形態に係る筆記具であって、ボールペンのリフィールを軸筒内に収納し、リフィールの筆記部が軸筒内に存在する状態の断面図である。
【図４】この発明の実施の形態に係る筆記具であって、ボールペンのリフィールを軸筒内に収納し、リフィールの筆記部が軸筒の前端開口から突出した状態の断面図である。
【発明を実施するための形態】
【０００９】
以下、この発明の実施の形態を添付図面に基づいて説明する。なお、説明にあたっては、筆記部２２，２２‘側を「前」側とし、反対側（押圧部材３０側）を「後」側として説明する。
図１に示すように、筆記具１は、前端に前端開口１ａを有すると共に後端に後端開口１ｂを有する軸筒１０と、前端に筆記部２２を有し軸筒１０内に収納されたリフィール２０と、後端開口１ｂから軸筒１０内に挿入された押圧部材３０とを備え、シャープペンシルを構成している。
【００１０】
軸筒１０は、前端に前端開口１ａを有する前軸１２と、後端に後端開口１ｂを有する後軸１３とから構成されている。前軸１２の後端には開口１２ｂが設けられ、開口１２ｂから前端開口１ａに向かって、前軸１２の内周面に適当な長さのねじ溝１１が形成されている。後軸１３の前端部分には略円筒形状の小径部１４が設けられ、小径部１４の外周面にはねじ山１５が形成されている。小径部１４を前軸１２の開口１２ｂから前軸１２の内部に挿入し、ねじ山１５とねじ溝１１とを螺合させることにより、前軸１２と後軸１３とが連結されて、軸筒１０が構成される。
【００１１】
リフィール２０は、その後端側の一部が後軸１３内に収納され、小径部１４から突出したリフィール２０の前端側の残りの部分が前軸１２内に収納されるようにして、軸筒１０内に収納されている。前軸１２の内径は、小径部１４の外径とほぼ同じであり、リフィール２０と前軸１２の内周面との間には隙間が存在する。前端開口１ａ近傍には、前端開口１ａに向かって前軸１２の内径が徐々に縮小する縮径部１２ａが形成されている。後軸１３の内部は、小径部１４から後軸１３の後端に向かって、第１部分１３ａと、第１部分１３ａと隣接する第２部分１３ｂと、第２部分１３ｂと隣接する第３部分１３ｃとから構成されている。第１部分１３ａは、第１部分１３ａの位置に相当する後軸１３の内周面に、第１部分１３ａの前端付近から後端に向かって延びると共に後軸１３の半径方向内方に向かって突出する複数のリブ２８が後軸１３の内周面の周方向に間隔をあけて形成されることにより構成されている。リブ２８のそれぞれは、各リブ２８に接する（後軸１３の軸方向に垂直な）内接円を仮想的に描いた時に、第１部分１３ａにおいてリフィール２０が軸方向に摺動可能な程度の内接円の内径となるような高さを有している。第２部分１３ｂは、第２部分１３ｂの位置に相当する後軸１３の内周面に、リブ２８の後端と接続すると共に第２部分１３ｂの後端まで延びる複数のリブ２９が形成されることにより構成されている。リブ２９のそれぞれは、各リブ２９に接する（後軸１３の軸方向に垂直な）内接円を仮想的に描いた時に、後軸１３の後端側に向かって内接円の内径が徐々に大きくなるような高さを有している。換言すれば、リブ２９は、テーパー状に形成されている。第３部分は、押圧部材３０が軸方向に摺動可能な程度の内径を有している。第１部分１３ａと第２部分１３ｂとの間には、リブ２８及び２９それぞれの高さ、すなわちリブ２８及び２９それぞれの前記内接円の内径が変化することにより段差部１７が形成されている。第２部分１３ｂと第３部分１３ｃとの間には、リブ２９の後端部により段差部１８が形成されている。
【００１２】
後軸１３の内部には、弾性部材であるバネ４０が設けられ、バネ４０の内部にリフィール２０が挿入されるようになっている。押圧部材３０の前端に設けられた円板形状の前端面部３１には、リフィール２０の後端に開口する図示しない孔に挿入可能な略円柱状の挿入突部６１と、リフィール２０の後端に開口する孔の内径よりも大きい外径を有する略円柱状の軸部６２とが設けられている。挿入突部６１がリフィール２０の後端に開口する孔に挿入されることにより、リフィール２０と押圧部材３０とが連結されている。このとき、軸部６２の外径は、リフィール２０の後端に開口する孔の内径よりも大きいので、軸部６２は当該孔の中に挿入されずにリフィール２０の後端面に当接される。リフィール２０が挿入されたバネ４０の一端は、軸部６２がバネ４０の内径部分に挿入される。バネ４０の他端は、テーパー状に形成されたリブ２９の前端部分に嵌り、段差部１７に固定される。
【００１３】
リフィール２０の前端の筆記部２２は、円筒形状の第１部分２２ａと、円錐台形状の第２部分２２ｂと、円筒形状の第３部分２２ｃとからなり、これらはリフィールの前端から後端に向かって順次設けられている。第３部分２２ｃと、それよりも後端側のリフィール２０の他の部分との間には、段差部２３が設けられている。
【００１４】
押圧部材３０は、前端面部３１に隣接するように設けられた略円筒形状の押圧部材本体３２と、押圧部材本体３２に隣接するように設けられた略円筒形状の押圧部材後端部３３とを有している。押圧部材本体３２には、押圧部材本体３２の長手方向に延びる細長い２つの開口溝３４，３５が形成されている。一方の開口溝３４には、押圧部材本体３２の径方向内側に向かって突出する係合部３７が設けられている。押圧部材後端部３３の前端は閉じた形状であり、後端は開口している。押圧部材後端部３３の後端の開口から、押圧部材後端部３３の内部にキャップ部材３６が挿入されている。
【００１５】
押圧部材本体３２の内部には、押圧部材本体３２に対してスライド可能に係止部材５０が設けられている。係止部材５０は、略「コ」の字の横断面形状を有している。係止部材５０の一方の端部には、押圧部材本体３２の後端側に向かうにしたがって押圧部材本体３２の径方向内側に向かって傾斜する係合先部５１が設けられている。リフィール２０の全体が軸筒１０内に収納されている状態では、傾斜した係合先部５１上に係合部３７を受け入れるようになっている。また、鋭角の横断面形状を有する係合先部５１の先端部５１ａは、開口溝３４を介して後軸１３の内周面（第３部分１３ｃ）に当接可能である。係止部材５０の他方の端部には、略円形状の横断面形状を有する支点端部５２が設けられている。支点端部５２は、開口溝３５を介して後軸１３の内周面に当接可能に形成されている。係止部材５０と押圧部材後端部３３との間には、間隔Ｓがあいている。
【００１６】
また、係止部材５０には、係合先部５１に隣接するように、押圧部材本体３２の径方向外側に向かって突出する突部５３が設けられている。後軸１３には孔１６が設けられ、突部５３が孔１６に挿入されて、突部５３の一部が後軸１３の外周面から径方向外側に向かって突出している。ここで、筆記具１の使用者が、後軸１３から突出している突部５３を後軸１３の径方向内側に向かって押すと、後軸１３の内周面に当接している支点端部５２を支点として係止部材５０の略「コ」の字の横断面形状がつぶれるように、係止部材５０は変形する。この変形は、係止部材５０を形成する材料の弾性に基づくものであるので、可逆的な変形である。すなわち、使用者が突部５３の押し込みを止めると、係止部材５０は元の形状に回復する。係止部材５０がこのように変形している間、先端部５１ａは、後軸１３の径方向内側に移動した状態となる。
【００１７】
次に、シャープペンシルとしての筆記具１の使用時における動作について説明する。
図１における状態、すなわち、リフィール２０の全体が軸筒１０内に収納されている状態において、筆記具１の使用者は、キャップ部材３６を軸筒１０の前端に向かって押すことにより、押圧部材３０が軸筒１０内を軸筒１０の前端に向かって移動する。押圧部材３０はリフィール２０と連結しているので、押圧部材３０のこのような移動に伴い、リフィール２０も軸筒１０内を軸筒１０の前端に向かって移動する。その結果、図２に示されるように、リフィール２０の筆記部２２が前端開口１ａから突出する。筆記部２２は、第１部分２２ａ及び第２部分２２ｂと、第３部分２２ｃの一部とが前端開口１ａから突出しており、この状態で段差部２３が縮径部１２ａに引っ掛かることになるので、筆記部２２がこれ以上前端開口１ａから突出することはない。
【００１８】
押圧部材３０がこのような移動をすると、一端が軸部６２及び前端面部３１で支持されると共に他端が段差部１７に固定されるバネ４０は圧縮される。図２の状態では、バネ４０は、その弾性力により、押圧部材３０を後端開口１ｂに向かって押す状態となっている。
【００１９】
押圧部材３０が軸筒１０の前端に向かって移動しても、押圧部材本体３２の内部に設けられた係止部材５０は、突部５３が孔１６に挿入されているので、押圧部材３０とともに移動することはない。係止部材５０が移動しないまま押圧部材３０が軸筒１０の前端に向かって移動すると、押圧部材本体３２に設けられた係合部３７は軸筒１０の前端に向かって移動するので、係合部３７は、係合先部５１に沿って先端部５１ａに向かって移動する。やがて係合部３７は先端部５１ａを通り越えて、先端部５１ａに対して軸筒１０の前端側に位置することとなる。押圧部材３０はバネ４０によって後端開口１ｂに向かって押された状態であるので、係合部３７は先端部５１ａに当接する状態となり、押圧部材３０はこの位置で静止する。この結果、リフィール２０の筆記部２２が前端開口１ａから突出した状態が維持されることとなる。
【００２０】
また、係止部材５０が移動しないまま押圧部材３０が軸筒１０の前端に向かって移動するので、係止部材５０と押圧部材後端部３３との間の間隔Ｓ’は、間隔Ｓ（図１参照）よりも小さくなる。この結果、筆記具１の使用者がさらにキャップ部材３６を軸筒１０の前端に向かって押すことにより、間隔Ｓ’だけ、係止部材５０が移動しないまま押圧部材３０を軸筒１０の前端に向かってさらに移動させることができる。すると、リフィール２０が押圧部材３０によってさらに軸筒１０の前端に向かって押されるが、段差部２３が縮径部１２ａに引っ掛かっているので、リフィール２０は全体としてはこれ以上軸筒１０の前端に向かって移動することはない。しかし、リフィール２０には、リフィール２０内に収容された図示しないシャープペンシルの芯を筆記部２２の第１部分２２ａから突出させるためのバネ２４が設けられており、リフィール２０が押圧部材３０によって軸筒１０の前端に向かって押されることにより、バネ２４が圧縮される。その結果、前端開口１ａから突出している筆記部２２の第１部分２２ａから、シャープペンシルの芯が突出されて、筆記具１で書くことができる状態となる。
【００２１】
筆記部２２が前端開口１ａから突出した状態で、使用者が突部５３を後軸１３の径方向内側に向かって押すと、既に述べたように、係止部材５０が変形して、先端部５１ａが径方向内側に移動した状態となる。係合部３７に当接している先端部５１ａが、係合部３７よりも後軸１３の径方向内側に位置するようになると、バネ４０によって後端開口１ｂに向かって押されている押圧部材３０は、係合部３７が先端部５１ａを通り越すようにして、後端開口１ｂに向かって移動する。すると、押圧部材３０と連結するリフィール２０も押圧部材３０に引っ張られて後端開口１ｂに向かって移動し、その結果、図１の状態になり、前端開口１ａから突出していた筆記部２２は、軸筒１０内に戻される。
【００２２】
次に、筆記具１のリフィールを交換する動作について説明する。
図１に示すように、使用者が片手で後軸１３をつかみ、他方の手で前軸１２を回転させることにより、後軸１３から前軸１２を取り外す。すると、小径部１４からリフィール２０の前端側の一部が突出した状態が露出される。この状態でリフィール２０を引っ張ると、リフィール２０と押圧部材３０との連結が外れて、リフィール２０のみが後軸１３からも取り外されることとなる。この状態では、バネ４０は、他端側が段差部１７に固定された状態で後軸１３内に留まっているので、バネ４０を紛失することはない。
【００２３】
例えば、シャープペンシルのリフィール２０からボールペンのリフィールに代える場合、交換するリフィールをその後端から小径部１４に挿入して、後端開口１ｂに向かってリフィールを押しこむ。ここで、後軸１３の第１部分１３ａは、リフィールの外径とほぼ同じ内径を有しているので、リフィールは、後軸１３の軸線に沿って真っすぐに押し込まれ、バネ４０の内部に容易に挿入されると共に挿入突部６１が容易にリフィールの後端の孔に挿入されて、リフィールと押圧部材３０とが連結される。その後、リフィールの前端を前軸１２の後端の開口１２ｂから前軸１２内に挿入するようにして、前軸１２と後軸１３とを連結することにより、図３に示すような、ボールペンのリフィール２０’が軸筒１０内に収納された筆記具１が構成される。このように、リフィールの交換時における組み立て性が向上する。
【００２４】
次に、ボールペンとしての筆記具１の使用時における動作について説明する。
シャープペンシルとしての筆記具１のときと同様に、筆記具１の使用者がキャップ部材３６を軸筒１０の前端に向かって押すと、軸筒１０の前端に向かう押圧部材３０の移動に伴い、リフィール２０’も軸筒１０の前端に向かって移動して、図４に示すように、リフィール２０’の筆記部２２’が前端開口１ａから突出する。この状態を維持する構成は、シャープペンシルとしての筆記具１のときと同じである。
【００２５】
シャープペンシルとしての筆記具１のときと同様に、筆記部２２’が前端開口１ａから突出しても、係止部材５０と押圧部材後端部３３との間に間隔Ｓ’が存在する。図４の状態からキャップ部材３６を軸筒１０の前端に向かってさらに押すと、前端面部３１が段差部１８と当接し、押圧部材３０の前進が規制され、筆記部２２’がこれ以上前端開口１ａから突出することはなく、キャップ部材３６をこれ以上押すことができなくなる。キャップ部材３６を押すのをやめると、バネ４０によって押圧部材３０が後端開口１ｂに向かって押されて、係合先部５１が係合部３７に係合する状態、すなわち図４の状態に戻る。筆記部２２’を軸筒１０内に戻す動作は、シャープペンシルとしての筆記具１のときと同じである。
【００２６】
このように、押圧部材３０にスライド可能に設けられた係止部材５０の係合先部５１が、押圧部材３０に設けられた係合部３７に係合することで、リフィール２０，２０’の前端の筆記部２２，２２’が軸筒１０の前端開口１ａから突出した状態が維持される筆記具１において、一端が押圧部材３０の嵌合突部６２に嵌合して押圧部材３０を軸筒１０の後端に向かって押圧するバネ４０が軸筒１０内に設けられていることにより、バネ４０を軸筒１０内に配置したままリフィール２０，２０’のみを交換することができるので、リフィール２０，２０’の交換時における組み立て性を向上することができる。
【００２７】
この実施の形態では、リフィール２０と押圧部材３０とが直接連結されていたが、この形態に限定するものではない。リフィール２０と押圧部材３０との間に任意のインサートを配置し、このインサートを介してリフィール２０と押圧部材３０とを間接的に連結してもよい。
【００２８】
この実施の形態では、段差部１７は、リブ２８及び２９それぞれの高さが変化することにより形成されていたが、この形態に限定するものではない。後軸１３の内径を変化することにより段差部を形成してもよい。
【００２９】
この実施の形態では、軸筒１０は、前軸１２と後軸１３とが連結されて構成されていたが、この形態に限定するものではない。２つ以上の部分に分離することのない一体型の軸筒を用いてもよい。この場合には、リフィール２０，２０’は、軸筒の後端開口から、バネ４０の一端を段差部１７に嵌合させたままの状態で押圧部材３０を引き抜くことにより取り出すことができる。この状態でも、バネ４０を後軸１３内に配置したままリフィール２０，２０’のみを交換することができるので、バネ４０の紛失を防ぐことができ、リフィール２０，２０’の交換時における組み立て性を向上することができる。
【００３０】
尚、この実施の形態では、バネ４０の両端部分及び中間部分に、コイル間隔が密になった部分が存在する。これらのうち、バネ４０の中間部分に位置するコイル間隔が密になった部分（以下、「中間密部分４１」という）が存在することで、筆記具１の製造時に複数のバネ４０をまとめておいても、バネ４０が互いに絡まり合うのを防ぐことができる。したがって、中間密部分４１のないバネをバネ４０として使用しても、本願発明の効果に影響を与えるものではない。
【符号の説明】
【００３１】
１  筆記具、１ａ  前端開口、１ｂ  後端開口、１０  軸筒、１２  前軸、１３  後軸、１７  段差部、２０，２０’  リフィール、２２，２２’  筆記部、３０  押圧部材、３７  係合部、４０  バネ（弾性部材）、５０  係止部材、５１  係合先部、６１  挿入突部。
【図１】
2014226847.tif 000003
【図２】
2014226847.tif 000004
【図３】
2014226847.tif 000005
【図４】
2014226847.tif 000006